(57)【要約】【課題】撮像機能とメール送受信機能とを備えた携帯機器の興趣性を向上させることのできるデータ送受信システム等を提供する。【解決手段】特定の被写体が存在する地点を目指したチーム内のメンバー（ユーザＡ、ユーザＢ）が、特定の被写体が存在する地点に到達し、かつ当該特定の被写体を各自のデジタルカメラ１ａ、１ｂで撮影すると、同カメラにおいて撮像した被写体と予め定められた特定の位置に存在する被写体との一致が判別され、一致の際は予め作成されたメール文書と自己のＩＤとがサーバ装置３３に送信される。サーバ装置３３は各自から送られてきたＩＤのうち、同一ＩＤがあるか否かを判断し、ある場合は、たとえば、ユーザＡからのメール文書がユーザＢのデジタルカメラ１ｂに送信する。このため、チーム内のメンバー同士であるユーザＡからユーザＢへメール文書を送信することが可能となる。【選択図】      図８
2005025280.tif 000002
【特許請求の範囲】
【請求項１】
サーバ装置、このサーバ装置と通信可能な送信側携帯機器、及び、前記サーバ装置と通信可能な受信側携帯機器で構成されるデータ送受信システムであって、
前記送信側携帯機器は、
撮像操作に伴って被写体を撮像する撮像手段と、
文書データを作成する作成手段と、
前記撮像手段により撮像された被写体と予め定められた特定の位置に存在する被写体とを比較する比較手段と、
この比較手段による比較結果に基づき、前記両被写体に一致性がある場合に、前記作成手段により作成された文書データと予め設定されたＩＤデータとを前記サーバ装置に送信する送信手段とを備え、
前記サーバ装置は、
前記送信側携帯機器から送信された前記文書データとＩＤデータと受信する第１の受信手段と、
前記受信側携帯機器から送信されるＩＤデータを受信する第２の受信手段と、
前記両受信手段により受信したＩＤデータが一致するか否かを判断する判断手段と、
この判断手段の判断結果に基づき、前記両ＩＤデータが一致する場合、前記受信側携帯機器に前記文書データを送信する送信手段とを備え、
前記受信側携帯機器は、
撮像操作に伴って被写体を撮像する撮像手段と、
前記撮像手段により撮像された被写体と予め定められた特定の位置に存在する被写体とを比較する比較手段と、
この比較手段による比較結果に基づき、前記両被写体に一致性がある場合に、前記ＩＤデータを前記サーバ装置に送信する送信手段と、
前記サーバ装置から送信される前記文書データを受信する受信手段と
を備えることを特徴とするデータ送受信システム。
【請求項２】
前記両携帯機器の少なくとも一方は、
前記予め定められた特定の位置に存在する被写体を示す特定被写体情報を記憶した記憶手段を更に備え、
前記比較手段は、前記撮像手段により撮像された被写体と前記特被写体情報が示す被写体とを比較することを特徴とする請求項１記載のデータ送受信システム。
【請求項３】
前記サーバ装置は、前記両携帯機器の少なくとも一方に、前記予め定められた特定の位置に存在する被写体を示す特定被写体情報を送信する比較情報送信手段を更に備え、
前記両携帯機器の少なくとも一方は、
前記サーバ装置から送信される前記特定被写体情報を受信する比較情報受信手段を更に備え、
前記比較手段は、前記撮像手段により撮像された被写体と前記比較情報受信手段により受信された特被写体情報が示す被写体とを比較することを特徴とする請求項１又は２記載のデータ送受信システム。
【請求項４】
撮像操作に伴って被写体を撮像する撮像手段と、
文書データを作成する作成手段と、
前記撮像手段により撮像された被写体と予め定められた特定の位置に存在する被写体とを比較する比較手段と、
この比較手段による比較結果に基づき、前記両被写体に一致性がある場合に、前記作成手段により作成された文書データと予め設定されたＩＤデータとをサーバ装置に送信する送信手段と
を備えることを特徴とする携帯機器。
【請求項５】
前記予め定められた特定の位置に存在する被写体を示す特定被写体情報を記憶した記憶手段を更に備え、
前記比較手段は、前記撮像手段により撮像された被写体と前記特被写体情報が示す被写体とを比較することを特徴とする請求項４記載の携帯機器。
【請求項６】
送信側携帯機器から送信された文書データとＩＤデータと受信する第１の受信手段と、
受信側携帯機器から送信されるＩＤデータを受信する第２の受信手段と、
前記両受信手段により受信したＩＤデータが一致するか否かを判断する判断手段と、
この判断手段の判断結果に基づき、前記両ＩＤデータが一致する場合、前記受信側携帯機器に前記文書データを送信する送信手段と
を備えることを特徴とするサーバ装置。
【請求項７】
前記両携帯機器の少なくとも一方に、前記予め定められた特定の位置に存在する被写体を示す特定被写体情報を送信する比較情報送信手段を更に備えることを特徴とする請求項６記載のサーバ装置。
【請求項８】
撮像操作に伴って被写体を撮像する撮像手段と、
前記撮像手段により撮像された被写体と予め定められた特定の位置に存在する被写体とを比較する比較手段と、
この比較手段による比較結果に基づき、前記両被写体に一致性がある場合に、ＩＤデータをサーバ装置に送信する送信手段と、
前記サーバ装置から送信される文書データを受信する受信手段と
を備えることを特徴とする携帯機器。
【請求項９】
前記サーバ装置から送信される前記特定被写体情報を受信する比較情報受信手段を更に備え、
前記比較手段は、前記撮像手段により撮像された被写体と前記比較情報受信手段により受信された特被写体情報が示す被写体とを比較することを特徴とする請求項８記載の携帯機器。
【請求項１０】
携帯機器が有するコンピュータを、
文書データを作成する作成手段と、
撮像手段により撮像された被写体と予め定められた特定の位置に存在する被写体とを比較する比較手段と、
この比較手段による比較結果に基づき、前記両被写体に一致性がある場合に、前記作成手段により作成された文書データと予め設定されたＩＤデータとをサーバ装置に送信させる送信制御手段と
して機能させることを特徴とするデータ送信処理プログラム。
【請求項１１】
サーバ装置が有するコンピュータを、
送信側携帯機器から送信された文書データとＩＤデータと受信させる第１の受信制御手段と、
受信側携帯機器から送信されるＩＤデータを受信させる第２の受信制御手段と、
前記両受信制御手段による制御により受信されたＩＤデータが一致するか否かを判断する判断手段と、
この判断手段の判断結果に基づき、前記両ＩＤデータが一致する場合、前記受信側携帯機器に前記文書データを送信させる送信制御手段と
して機能させることを特徴とするサーバ制御プログラム。
【請求項１２】
携帯機器が有するコンピュータを、
撮像手段により撮像された被写体と予め定められた特定の位置に存在する被写体とを比較する比較手段と、
この比較手段による比較結果に基づき、前記両被写体に一致性がある場合に、ＩＤデータをサーバ装置に送信させる送信制御手段と、
前記サーバ装置から送信される文書データを受信させる受信制御手段と
して機能させることを特徴とするデータ受信処理プログラム。
【請求項１３】
撮像された被写体と予め定められた特定の位置に存在する被写体とを比較する比較手段と、この比較手段により比較された比較結果に基づき、前記両被写体に一致性がある場合に、予め事前に作成された文書データと予め設定されているＩＤデータとをサーバ装置に送信する送信手段とを備えている送信側携帯機器との間で通信するとともに、撮像された被写体と予め定められた特定の位置に存在する被写体とを比較する比較手段と、この比較手段により比較された比較結果に基づき、前記両被写体に一致性がある場合に、予め事前に作成された文書データと予め設定されているＩＤデータとをサーバ装置に送信する送信手段とを備えている受信側携帯機器との間で通信するサーバ装置であって、
前記送信側携帯機器から送信された文書データとＩＤデータと受信する第１の受信手段と、
前記受信側携帯機器から送信されるＩＤデータを受信する第２の受信手段と、
前記両受信手段により受信したＩＤデータが一致するか否かを判断し、この判断結果に基づき、前記両ＩＤデータが一致する場合、前記送信側携帯機器から送信された文書データを前記受信側携帯機器に送信する送信手段と
を備えることを特徴とするサーバ装置。
【発明の詳細な説明】
【０００１】
【発明の属する技術分野】
【０００２】
本発明は、文書データの送受信を行うデータ送受信システム、携帯機器、サーバ装置及びデータ送受信処理・サーバ制御プログラムに関する。
【０００３】
【従来の技術】
【０００４】
従来、カメラ機能とメール送受信機能とを具備した携帯機器が知られている。この携帯機器は、カメラにより撮影された静止画像が表示器に表示されている撮影モード中に、ユーザによるメール送信操作を監視し、メール送信操作が行われた場合に送信モードを起動する。そして、このメール送信モードが起動された状態で、ユーザがメール送信に必要な情報を入力してメール本文を作成すると、この作成されたメール本文に、前記表示器に表示中の静止画像の符号化データを添付して送信するものである（例えば、特許文献１参照。）。
【０００５】
【特許文献１】
特開２００２−３５９６９５号公報
【０００６】
【発明が解決しようとする課題】
【０００７】
しかしながら、前述したカメラ装置においては、当該カメラ装置を使用するユーザがどのような場所に居る場合であっても、撮影を行いかつメールを送信することが可能である。したがって、例えばチーム内のメンバーが別々に特定の地点を目指し、特定の地点に到達したことを条件として、チーム内のメンバー同士でメールの送受信が可能となる、というようなゲームにこのカメラ装置を用いることはできず、興趣性が得られるものではなかった。
【０００８】
本発明は、このような従来の課題に鑑みてなされたものであり、撮像機能とメール送受信機能とを備えた携帯機器の興趣性を向上させることのできるデータ送受信システム、このデータ送受信システムに用いられる携帯機器、サーバ装置、及びデータ送受信処理・サーバ制御プログラムを提供することを目的とするものである。
【０００９】
【課題を解決するための手段】
【００１０】
前記課題を解決するために請求項１記載の発明にあっては、サーバ装置と、このサーバ装置と通信可能な送信側携帯機器及び受信側携帯機器で構成されるデータ送受信システムであって、前記送信側携帯機器は、撮像操作に伴って被写体を撮像する撮像手段と、文書データを作成する作成手段と、前記撮像手段により撮像された被写体と予め定められた特定の位置に存在する被写体とを比較する比較手段と、この比較手段による比較結果に基づき、前記両被写体に一致性がある場合に、前記作成手段により作成された文書データと予め設定されたＩＤデータとを前記サーバ装置に送信する送信手段とを備え、前記サーバ装置は、前記送信側携帯機器から送信された前記文書データとＩＤデータと受信する第１の受信手段と、前記受信側携帯機器から送信されるＩＤデータを受信する第２の受信手段と、前記両受信手段により受信したＩＤデータが一致するか否かを判断する判断手段と、この判断手段の判断結果に基づき、前記両ＩＤデータが一致する場合、前記受信側携帯機器に前記文書データを送信する送信手段とを備え、前記受信側携帯機器は、撮像操作に伴って被写体を撮像する撮像手段と、前記撮像手段により撮像された被写体と予め定められた特定の位置に存在する被写体とを比較する比較手段と、この比較手段による比較結果に基づき、前記両被写体に一致性がある場合に、ＩＤデータを前記サーバ装置に送信する送信手段と、前記サーバ装置から送信される前記文書データを受信する受信手段とを備える。
【００１１】
すなわち、送信側携帯機器を携帯するユーザＡと、受信側携帯機器を携帯するユーザＢとは予め共通のＩＤを決定して機器内のメモリに記憶させた後、別々に特定の位置に存在する被写体を目指して出発する。そして、この被写体が存在する特定の位置に到達したならば、ユーザＡは携帯機器にて文書データを作成するとともに、当該被写体を撮像する。すると、この撮像した被写体と予め定められた特定の位置に存在する被写体とが一致するので、文書データとＩＤデータとがサーバ装置に送信される。
【００１２】
一方、ユーザＢは、被写体が存在する特定の位置に到達したならば、携帯機器にて当該被写体を撮像する操作のみを行う。すると、この撮像した被写体と予め定められた特定の位置に存在する被写体とが一致するので、ＩＤデータがサーバ装置に送信される。
【００１３】
するとサーバ装置は、ユーザＡの送信側携帯機器から送信されてきたＩＤデータと、ユーザＡの送信側携帯機器から送信されてきたＩＤデータとが一致するか否かを判断し、両ＩＤデータが一致する場合、ユーザＡの送信側携帯機器から送信されてきた文書データをユーザＢの受信側携帯機器に送信する。
【００１４】
したがって、別々に特定の被写体が存在する地点を目指したチーム内のメンバー（ユーザＡ、ユーザＢ）が、特定の被写体が存在する地点に到達し、かつ当該特定の被写体を撮影したことを条件として、チーム内のメンバー同士であるユーザＡとユーザＢとの間で文書データの送受信が可能となる。
【００１５】
また、請求項２記載の発明に係るデータ送受信システムにあっては、前記両携帯機器の少なくとも一方は、前記予め定められた特定の位置に存在する被写体を示す特定被写体情報を記憶した記憶手段を更に備え、前記比較手段は、前記撮像手段により撮像された被写体と前記特被写体情報が示す被写体とを比較する。つまり、携帯機器は、それ自体が有する記憶手段に予め定められた特定の位置に存在する被写体を示す特定被写体情報が記憶されているので、当該携帯機器のみで自律的に、撮像手段により撮像された被写体と特被写体情報が示す被写体との比較を行うことができる。
【００１６】
また、請求項３記載の発明に係るデータ送受信システムにあっては、前記サーバ装置は、前記サーバ装置は、前記両携帯機器の少なくとも一方に、前記予め定められた特定の位置に存在する被写体を示す特定被写体情報を送信する比較情報送信手段を更に備え、前記両携帯機器の少なくとも一方は、前記サーバ装置から送信される前記特定被写体情報を受信する比較情報受信手段を更に備え、前記比較手段は、前記撮像手段により撮像された被写体と前記比較情報受信手段により受信された特被写体情報が示す被写体とを比較する。つまり、この発明における少なくとも一方の携帯機器は、サーバ装置から送信された特定の位置に存在する被写体を示す特定被写体情報を受信して、この受信した特定被写体情報が示す被写体と実際に撮像した被写体とを比較する。したがって、携帯機器に予め特定被写体情報を記憶させておかずとも、前記比較を行うことができる。
【００１７】
また、請求項４記載の発明に係る携帯機器にあっては、撮像操作に伴って被写体を撮像する撮像手段と、文書データを作成する作成手段と、前記撮像手段により撮像された被写体と予め定められた特定の位置に存在する被写体とを比較する比較手段と、この比較手段による比較結果に基づき、前記両被写体に一致性がある場合に、前記作成手段により作成された文書データと予め設定されたＩＤデータとをサーバ装置に送信する送信手段とを備える。したがって、前述したデータ送受信システムにおける送信側携帯機器として機能することができ、特定の被写体が存在する地点に到達し当該特定の被写体を撮影したことを条件として、文書データの送信が可能となる。
【００１８】
また、請求項５記載の発明に係る携帯機器にあっては、前記予め定められた特定の位置に存在する被写体を示す特定被写体情報を記憶した記憶手段を更に備え、前記比較手段は、前記撮像手段により撮像された被写体と前記特被写体情報が示す被写体とを比較する。したがって、記憶手段に予め定められた特定の位置に存在する被写体を示す特定被写体情報が記憶されているので、当該携帯機器のみで自律的に、撮像手段により撮像された被写体と特被写体情報が示す被写体との比較を行うことができる。
【００１９】
また、請求項６記載の発明に係るサーバ装置にあっては、送信側携帯機器から送信された文書データとＩＤデータと受信する第１の受信手段と、受信側携帯機器から送信されるＩＤデータを受信する第２の受信手段と、前記両受信手段により受信したＩＤデータが一致するか否かを判断する判断手段と、この判断手段の判断結果に基づき、前記両ＩＤデータが一致する場合、前記受信側携帯機器に前記文書データを送信する送信手段とを備える。したがって、前述したデータ送受信システムにおけるサーバ装置として機能することができ、ユーザＡの送信側携帯機器から送信されてきたＩＤデータと、ユーザＡの送信側携帯機器から送信されてきたＩＤデータとが一致するか否かを判断し、両ＩＤデータが一致する場合、ユーザＡの送信側携帯機器から送信されてきた文書データをユーザＢの受信側携帯機器に送信することができる。
【００２０】
また、請求項７記載の発明に係るサーバ装置にあっては、前記両携帯機器の少なくとも一方に、前記予め定められた特定の位置に存在する被写体を示す特定被写体情報を送信する比較情報送信手段を更に備える。したがって、少なくとも一方の携帯機器は、特定被写体情報を受信してこの特定被写体情報が示す被写体と実際に撮像した被写体との比較を行うことができる。
【００２１】
また、請求項８記載の発明に係る携帯機器にあっては、撮像操作に伴って被写体を撮像する撮像手段と、前記撮像手段により撮像された被写体と予め定められた特定の位置に存在する被写体とを比較する比較手段と、この比較手段による比較結果に基づき、前記両被写体に一致性がある場合に、ＩＤデータをサーバ装置に送信する送信手段と、前記サーバ装置から送信される文書データを受信する受信手段とを備える。したがって、前述したデータ送受信システムにおける受信側携帯機器として機能することができ、特定の被写体が存在する地点に到達し当該特定の被写体を撮影したことを条件として、文書データの受信が可能となる。
【００２２】
また、請求項９記載の発明に係る携帯機器にあっては、前記サーバ装置から送信される前記特定被写体情報を受信する比較情報受信手段を更に備え、前記比較手段は、前記撮像手段により撮像された被写体と前記比較情報受信手段により受信された特被写体情報が示す被写体とを比較する。したがって、携帯機器に予め特定被写体情報を記憶させておかずとも、前記比較を行うことができる。
【００２３】
また、請求項１０記載の発明に係るデータ送信処理プログラムにあっては、携帯機器が有するコンピュータを、文書データを作成する作成手段と、撮像手段により撮像された被写体と予め定められた特定の位置に存在する被写体とを比較する比較手段と、この比較手段による比較結果に基づき、前記両被写体に一致性がある場合に、前記作成手段により作成された文書データと予め設定されたＩＤデータとをサーバ装置に送信させる送信制御手段として機能させる。したがって、前記コンピュータがこのプログラムに従って処理を実行することにより、請求項４記載の発明と同様の作用効果を奏する。
【００２４】
また、請求項１１記載の発明に係るサーバ制御プログラムにあっては、サーバ装置が有するコンピュータを、送信側携帯機器から送信された文書データとＩＤデータと受信させる第１の受信制御手段と、受信側携帯機器から送信されるＩＤデータを受信させる第２の受信制御手段と、前記両受信制御手段による制御により受信されたＩＤデータが一致するか否かを判断する判断手段と、この判断手段の判断結果に基づき、前記両ＩＤデータが一致する場合、前記受信側携帯機器に前記文書データを送信させる送信制御手段として機能させる。したがって、前記コンピュータがこのプログラムに従って処理を実行することにより、請求項６記載の発明と同様の作用効果を奏する。
【００２５】
また、請求項１２記載の発明に係るサーバ制御プログラムにあっては、携帯機器が有するコンピュータを、撮像手段により撮像された被写体と予め定められた特定の位置に存在する被写体とを比較する比較手段と、この比較手段による比較結果に基づき、前記両被写体に一致性がある場合に、ＩＤデータをサーバ装置に送信させる送信制御手段と、前記サーバ装置から送信される文書データを受信させる受信制御手段として機能させる。したがって、前記コンピュータがこのプログラムに従って処理を実行することにより、請求項８記載の発明と同様の作用効果を奏する。
【００２６】
また、請求項１３記載の発明に係るサーバ装置にあっては、撮像された被写体と予め定められた特定の位置に存在する被写体とを比較する比較手段と、この比較手段により比較された比較結果に基づき、前記両被写体に一致性がある場合に、予め事前に作成された文書データと予め設定されているＩＤデータとをサーバ装置に送信する送信手段とを備えている送信側携帯機器との間で通信するとともに、撮像された被写体と予め定められた特定の位置に存在する被写体とを比較する比較手段と、この比較手段により比較された比較結果に基づき、前記両被写体に一致性がある場合に、予め事前に作成された文書データと予め設定されているＩＤデータとをサーバ装置に送信する送信手段とを備えている受信側携帯機器との間で通信するサーバ装置であって、前記送信側携帯機器から送信された文書データとＩＤデータと受信する第１の受信手段と、前記受信側携帯機器から送信されるＩＤデータを受信する第２の受信手段と、前記両受信手段により受信したＩＤデータが一致するか否かを判断し、この判断結果に基づき、前記両ＩＤデータが一致する場合、前記送信側携帯機器から送信された文書データを前記受信側携帯機器に送信する送信手段とを備える。
【００２７】
【発明の実施の形態】
（第１の実施の形態）
【００２８】
以下、本発明の第１の実施の形態を図に従って説明する。図１は、本実施の形態に係るメール送受信システムの構成を示すブロック図である。図において、デジタルカメラ（携帯機器）１ａ，１ｂは、撮像機能とメール作成機能及び作成したメールを、システム（特に、後述するメールサーバ３３）介して相互に送受信するを備えている。無線基地局２、２は、デジタルカメラ１ａ，１ｂが加入する通信サービス事業者（インターネットプロバイダを含む）３に接続する。
【００２９】
通信サービス事業者（インターネットプロバイダを含む）３は、主なサービスとして提供しているメールサービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、デジタルカメラ１ａ，１ｂをＷＷＷ５に接続させるための機能も備えている。
【００３０】
通信回線網４は、アナログ回線、デジタル回線、広域ＬＡＮ、ＡＤＳＬ回線を含む、既知の通信回線網であり、ＷＷＷ５は所謂インターネットである。
【００３１】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ７は、一般家庭に存在するケースを示すためのものであり、通信回線網４、ＩＳＰ６を介して、ＷＷＷ５に接続したり、メールの送受信を行う機能を備えている。
【００３２】
図２は、デジタルカメラ１ａ、１ｂの構成を示すブロック図であり、両デジタルカメラ１ａ、１ｂは外観は異なるが内部構成は同一である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、パケット送信されたデータ（メールデータ）を、ＲＡＭ２９に出力する。また一方、送信の際には、送信するためのメールデータを変調するなどの無線通信に必要な処理をする。制御部２２は、各種動作及び全体の動作を制御する。
【００３３】
キー操作部１４には、電源スイッチキー、シャッターキー、文字入力キー、テンキー、各種機能キー（メールキー、アドレスキー、ファンクションキー）などからなる。メールキーは、メール機能を起動し、メールメニューを表示するためのものである。アドレスキーは、送信先のメールアドレスを選択する際に用いるアドレス帳を開くためのものである。
【００３４】
画像メモリ２３は、撮像部１８で撮像され、後述する画像プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００３５】
ドライバ２５は、表示部１３を駆動する。加入者情報記憶部２７は、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。報知デバイス１９２は、メール受信時に発音する報知スピーカ１９、及び振動動作するバイブレータ１９１を駆動させるためのドライバである。ＧＰＳモジュール１２は、測地衛星からのＬ１帯のＣ／Ａコードを受信して復調・解読し現在位置の緯度・経度を割り出すものであり、ＧＰＳモジュール１２により割り出された緯度・経度の情報は制御部２２に取り込まれる。
【００３６】
図３は、前記撮像部１８の詳細を示すブロック図である。撮像部１８は、光学レンズ１８１、この光学レンズ１８１により結像されるＣＣＤ等の撮像素子１８２と、撮像素子１８２を駆動するためのＴＧ１８３と、撮像素子１８２から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路１８４を有している。そして、被写体の像が光学レンズ１８１を介して撮像素子１８２上に結像され、撮像素子１８２は信号を出力する。この撮像素子１８２から出力された信号は、ユニット回路１８４にて、サンプリング、増幅、デジタル化され、制御部２２に送られて、この制御部２２内で輝度に変換され、輝度の積分やヒストグラム処理が行われる。
【００３７】
前記光学レンズ１８１は、ＡＦモータ等を備えるレンズ駆動回路１８５に保持されており、レンズ駆動回路１８５が制御部２２の制御により駆動されることにより光軸方向に移動し、撮像素子１８２に結像される被写体像のフォーカスを調整する。また、ＡＥ制御時には、撮像素子１８２が、制御部２２から送られるシャッターパルスに基づきＴＧ１８３によって駆動され、その電荷蓄積時間を制御される。これにより電子シャッターが実現される。
【００３８】
制御部２２は各種の信号処理、及び画像処理機能を備えたものであり、ユニット回路１８４を経てデジタル信号に変換された撮像信号からビデオ信号を生成し、撮像素子１８２によって撮像した被写体像をスルー画像として前記表示部１３に表示させる。また、撮像時には、撮像信号を圧縮してＪＰＥＧフォーマットの画像ファイルを生成し、それを前記画像メモリ２３に記憶させ、再生時には圧縮した画像ファイルを伸張して表示部１３に表示させる。
【００３９】
図４（ａ）は、デジタルカメラ１ａ側のＲＯＭ２４（２４ａとする）のメモリエリアの構成を示す概念図である。このＲＯＭ２４ａは、本実施の形態の特徴であるソフトウェアプログラムを格納する。ＲＯＭ２４ａは、メールソフトウェアプログラム領域２４１と、画像処理プログラム領域２４２及びランドマークデータ領域２４３からなる。
【００４０】
メールソフトウェアプログラム領域２４１は、アプリケーション本体を格納すする。画像処理プログラム領域２４２は、撮像部１８で撮像され、デジタル符号化された画像を、ＪＰＥＧ方式やＰＮＧ、ＧＩＦ方式で圧縮処理するための画像処理プログラムを格納する。ランドマークデータ領域２４３には、図９に示すように、本実施の形態における予め定められた特定の位置に存在する被写体であって、実在する被写体であるランドマークＬの画像データ又は当該ランドマークＬの特徴を示す画像データ（以下、ランドマークデータという。）が記憶されている。
【００４１】
なお、図４（ｂ）に示すように、デジタルカメラ１ｂ側のＲＯＭ２４（２４ｂとする）には、ランドマークデータ領域２４３が設けられておらず、メールソフトウェアプログラム領域２４１と、画像処理プログラム領域２４２のみが設けられている。
【００４２】
図５は、ＲＡＭ２９のメモリエリアの構成を示す概念図である。ＲＡＭ２９は、アドレス帳データ格納領域２９１、メールデータ格納領域２９２、添付ファイル格納領域２９３、ＩＤデータ格納領域２９４及びその他・ワークメモリ２９５からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。ＩＤデータ格納領域２９４には、デジタルカメラ１ａのユーザＡとデジタルカメラ１ｂのユーザＢとをチームとして、当該チームのＩＤデータ（本実施の形態においはＩＤ：ＨＮ２０３Ｖ）が格納され、その他・ワークメモリ２９５は、その他のワークメモリとして各種データ格納する。
【００４３】
図６は、メールサーバ３３の概略構成を示すブロック図である。このメールサーバ３３は、制御部３３１、ＲＯＭ３３２、ＲＡＭ３３３、通信部３３４がシステムバス３３５により相互に接続されたシステムである。制御部３３１は、ＲＯＭ３３２に記憶され後述するフローチャートにより示されるプログラムに基づき動作し、各部を制御するものである。ＲＡＭ３３３は、制御部２０１のワークエリアとして使用され、また、前述したランドマークデータ領域２４３と同様に、図９に示したランドマークＬの画像データ、又は当該ランドマークＬの特徴を示す画像データであるランドマークが記憶されている。
なお、図９に示すように、ランドマークＬとなる建築物に前記メールサーバ３３が備え付けられている。
【００４４】
次に、以上の構成に係る本実施形態の動作について説明する。本実施の形態においては、デジタルカメラ１ａのユーザＡが、デジタルカメラ１ｂのユーザＢ宛てにメールを作成・送信する場合について述べる。すなわち、デジタルカメラ１ａのユーザＡは、図７のフローチャートに示すように、先ずデジタルカメラ１ａの電源をオンにする（ステップＵＡ１）。すると、デジタルカメラ１ａの制御部２２は、ＲＯＭ２４に格納されているプログラムに基づき動作を開始して、電源オンを検知する（ステップＣＡ１）。そして、設定モード開始処理を行って、次のキー入力があるまで待機する（ステップＣＡ２）。
【００４５】
そして、ユーザＡがキー操作部１４での操作により、ユーザＡ，Ｂに共通のＩＤである、ユーザＡ、Ｂをチームとする当該チームのＩＤデータ（「ＨＮ２０３Ｖ」）を設定する（ステップＵＡ２）。すると、デジタルカメラ１ａの制御部２２は、このＩＤ設定を検知し（ステップＣＡ３）、入力されたＩＤをＩＤデータ格納領域２９４に出力して記憶させる（ステップＣＡ４）。
【００４６】
また、文字キーを操作してメール文書を作成すると（ステップＵＡ３）、デジタルカメラ１ａの制御部２２は、このメール文書作成操作を検知し（ステップＣＡ５）、作成された文書データをメールデータ格納領域２９２に出力して記憶させる（ステップＣＡ６）。このとき、入力されたデジタルカメラ１ｂのユーザＢのメールアドレスもメールデータ格納領域２９２に出力して記憶させる。
【００４７】
メール作成が終了したならば、ユーザはデジタルカメラ１ａを携帯して、前記ランドマークＬが存在する場所に向かう。無論、ランドマークＬが存在する場所に到達してから、あるいは進行途中でメールを作成してもよい。
【００４８】
ユーザＡが図９（１）に示すようにランドマークＬが存在する場所に到達し、シャッターキーを押下して、ランドマークＬを撮影すべく撮影実行操作を行うと（ステップＵＡ４）、制御部２２はこれを検知して（ステップＣＡ７）、撮影処理を実行する（ステップＣＡ８）。すなわち、ユニット回路１８４を経てデジタル信号に変換された撮影信号を圧縮してＪＰＥＧフォーマットの画像ファイルを生成し、この画像ファイルを画像メモリ２３に格納する。
【００４９】
次に、ランドマーク認識処理を行って、画像メモリ２３に記憶させた画像ファイルに基づく画像と、ランドマークデータ領域２４３に記憶されているランドマークデータに基づく画像とをマッチングする。そして、画像メモリ２３に記憶させた画像ファイルに基づく画像のランドマークと、ランドマークデータに基づく画像のランドマークとに一致性があるか否か（あるいは両者の特徴部分に一致性があるか否か）を判断する（ステップＣＡ９）。そして、一致性があった場合には、図９（２）に示すように、メールデータ格納領域２９２に格納されているメールＭ、及びＩＤデータ格納領域２９４に格納されているＩＤデータ（ＩＤ；ＨＮ２０３Ｖ）をメールサーバ３３に送信する（ステップＣＡ１０）。すると、メールサーバ３３は、これらメールとＩＤデータとを受信し、このメールとＩＤとを関連付けてとＲＡＭ３３３に格納する（ステップＳＡ１）。
【００５０】
一方、ユーザＡとは別々にランドマークＬが存在する場所に向かったユーザＢは、ランドマークＬが存在する場所に到達した時点で、図８のフローチャートに示すように、先ずデジタルカメラ１ｂの電源をオンにする（ステップＵＢ１）。すると、デジタルカメラ１ｂの制御部２２は、ＲＯＭ２４に格納されているプログラムに基づき動作を開始して、電源オンを検知する（ステップＣＢ１）。そして、設定モード開始処理を行って、次のキー入力があるまで待機する（ステップＣＢ２）。
【００５１】
ユーザＢがランドマークＬを撮影すべく、シャッターキーを押下して、撮影実行操作を行うと（ステップＵＢ２）、制御部２２はこれを検知して（ステップＣＢ３）、撮影処理を実行するとともに、撮影したことを示す信号をメールサーバ３３に送信する（ステップＣＢ４）。すなわち、ユニット回路１８４を経てデジタル信号に変換された撮影信号を圧縮してＪＰＥＧフォーマットの画像ファイルを生成して、この画像ファイルを画像メモリ２３に格納し、かつ、撮影したことを示す信号をメールサーバ３３に送信する。
【００５２】
すると、メールサーバ３３は、撮影検知処理によりこの撮影したことを示す信号を検知して（ステップＳＢ１１）、ランドマークＬの画像データ、又は当該ランドマークＬの特徴を示す画像データであるランドマークデータをデジタルカメラ１ｂに送信する（ステップＳＢ２）。デジタルカメラ１ｂは、ランドマーク認識処理を行って、画像メモリ２３に記憶させた画像ファイルに基づく画像と、メールサーバ３３から送信されたきたランドマークデータに基づく画像とをマッチングする。そして、画像メモリ２３に記憶させた画像ファイルに基づく画像のランドマークと、ランドマークデータに基づく画像のランドマークとに一致性があるか否か（あるいは両者の特徴部分に一致性があるか否か）を判断する（ステップＣＢ６）。一致性があった場合には、図９（３）に示すように、ＩＤデータ格納領域２９４に格納されているＩＤデータ（ＩＤ；ＨＮ２０３Ｖ）をメールサーバ３３に送信する（ステップＣＢ６）。
【００５３】
すると、メールサーバ３３は、このＩＤデータを受信し（ステップＳＢ３）、ＲＡＭ３３３に、同一ＩＤに対応するメールがあるか否かを判断する（ステップＳＢ４）。このとき、前述のように、図７のステップＳＡ１での処理により、ユーザＡからのメールとＩＤとを関連付けてＲＡＭ３３３に格納してあることから、ステップＳＢ３の判断がＹＥＳとなって、図９（４）に示すように、当該メールＭをデジタルカメラ１ｂに送信する（ステップＳＢ５）。デジタルカメラ１ｂは、このメールＭを受信して、メールデータ格納領域２９２に格納する（ステップＣＢ７）。これにより、デジタルカメラ１ｂにおいてメールデータ格納領域２９２から随時メールデータを読み出して、表示部１３に表示させることが可能となる。
【００５４】
しかし、ステップＳＢ４での判断の結果、同一ＩＤのメールがメールサーバ３３のＲＡＭ３３３に格納されてない場合、例えばメールサーバ３３のＲＡＭ３３３メールが格納されていても、そのＩＤがデジタルカメラ１ｂから送信されたＩＤと異なる場合には、ステップＳＢ５の処理は行われない。
【００５５】
したがって、別々に特定の被写体が存在する地点を目指したチーム内のメンバー（ユーザＡ、ユーザＢ）が、特定のランドマークＬが存在する地点に到達し、かつ当該ランドマークＬを撮影したことを条件として、チーム内のメンバー同士であるユーザＡ、Ｂ間でのメール送受信が可能となる。
【００５６】
なお、本実施の形態においては、デジタルカメラ１ａのＲＯＭ２４ａにランドマークデータを記憶させ、デジタルカメラ１ｂに対してはメールサーバ３３からランドマークデータを送信するようにしたが、デジタルカメラ１ａ、１ｂともランドマークデータを記憶させておいたり、デジタルカメラ１ａ、１ｂともメールサーバ３３からランドマークデータを送信するようにしてもよい。
【００５７】
（第２の実施の形態）
【００５８】
図１０及び図１１は、本発明の第２の実施の形態を示すものであり、デジタルカメラ１ａのユーザＡ又はＢは、図１０のフローチャートに示すように、電源をオンにする（ステップ１１）。すると、制御部２２は、ＲＯＭ２４に格納されているプログラムに基づき動作を開始して、電源オンを検知する（ステップＣ１１）。そして、設定モード開始処理を行って、次のキー入力があるまで待機する（ステップＣ１２）。
【００５９】
ユーザＡ，Ｂは、キー操作部１４での操作によりシャッターを半押し操作した後（ステップＵ２）、半押しを解除する（ステップＵ３）。すると、制御部２２は半押しを検知し、図１１（２）に示すように、検知信号をメールサーバ３３に送信し（ステップＣ１３）、しかる後にフォーカス処理を実行する（ステップＣ１４）。メールサーバ３３は、前記検知信号を検出すると前述したランドマークデータをデジタルカメラ１ａ、１ｂに送信し（ステップＳ１２）、デジタルカメラ１ａ、１ｂはこの送信されたランドマークデータを受信する（ステップＣ１５）。しかる後に、デジタルカメラ１ａ、１ｂは、この受信したランドマークデータに基づき、表示部１３にランドマークＬの画像又はランドマークＬの特徴的部分の画像を表示する（ステップＣ１６）。
【００６０】
したがって、ユーザＡ，Ｂは、表示部１３に表示されたランドマークＬの画像又はランドマークＬの特徴的部分の画像と、現在自己の目前に存在するランドマークＬとを見比べることにより、目前に実在するランドマークＬが本当に目的とする被写体であるか否かを確認することができる。これにより、ランドマークＬを誤認して撮影してしまう不都合を未然に防止することができる。
そして、表示部１３にランドマークＬの画像又はランドマークＬの特徴的部分の画像が表示されてから所定時間が経過したならば、これを消去して処理を終了する。
【００６１】
なお、各実施の形態においてはデジタルカメラに本発明を適用した場合を示したが、カメラ付き携帯電話やカメラ付きＰＤＢに本発明を適用するようにしてもよい。
【００６２】
【発明の効果】
【００６３】
以上説明したように本発明に係るデータ送受信システムによれば、別々に特定の被写体が存在する地点を目指したチーム内のメンバーが、特定の被写体が存在する地点に到達し、かつ当該特定の被写体を撮影したことを条件として、チーム内のメンバー同士間で文書データの送受信が可能となる。よって、このような特定の被写体が存在する地点に到達し、かつ当該特定の被写体を撮影したことを条件として、チーム内のメンバー同士間で文書データの送受信が可能となる興趣性のあるゲームを創成することができるとともに、撮像機能とメール送受信機能とを備えた携帯機器の興趣性を向上させるができる。
【００６４】
また、本発明に係る携帯機器及びデータ送信処理プログラムによれば、前記データ送受信システムにおける送信側携帯機器として機能することができ、特定の被写体が存在する地点に到達し当該特定の被写体を撮影したことを条件として、文書データの送信が可能となる。
【００６５】
また、本発明に係るサーバ装置及びサーバ制御プログラムによれば、前記データ送受信システムにおけるサーバ装置として機能することができ、送信側携帯機器から送信されてきたＩＤデータと、他方ユーザの受信側携帯機器から送信されてきたＩＤデータとが一致するか否かを判断し、両ＩＤデータが一致する場合、送信側携帯機器から送信されてきた文書データを受信側携帯機器に送信することができる。
【００６６】
また、本発明に係る携帯機器及びデータ受信処理プログラムによれば、前記データ送受信システムにおける受信側携帯機器として機能することができ、特定の被写体が存在する地点に到達し当該特定の被写体を撮影したことを条件として、文書データの受信が可能となる。
【図面の簡単な説明】
【図１】本発明の一実施の形態に係るメール送受信システムの構成を示すブロック図である。
【図２】デジタルカメラの構成を示すブロック図である。
【図３】撮像部の詳細を示すブロック図である、
【図４】ＲＯＭのメモリエリアの構成を示す概念図である。
【図５】ＲＡＭのメモリエリアの構成を示す概念図である。
【図６】メールサーバの概略構成を示すブロック図である。
【図７】第１の実施の形態の送信時における処理手順を示すフローチャートである。
【図８】同実施の形態の受信時における処理手順を示すフローチャートである。
【図９】第１の実施の形態の動作説明図である。
【図１０】本発明の第２の実施の形態の処理手順を示すフローチャートである。
【図１１】同実施の形態の動作説明図である。
【符号の説明】
１ｂ    デジタルカメラ
１ｂ    デジタルカメラ
２    無線基地局
３    通信サービス事業者
４    通信回線網
１１    アンテナ
１２    ＧＰＳモジュール
１３    表示部
１４    キー操作部
１８    撮像部
２０    無線送受信部
２１    無線信号処理部
２２    制御部
２３    画像メモリ
２４    ＲＯＭ
２５    ドライバ
２９    ＲＡＭ
３３    メールサーバ
１８１    光学レンズ
１８２    撮像素子
１８３    ＴＧ
１８４    ユニット回路
１８５    レンズ駆動回路
２４１    メールソフトウェアプログラム領域
２４３    ランドマークデータ領域
２４４    特定位置データ領域
２９２    メールデータ格納領域
２９４    ＩＤデータ格納領域
Ｌ    ランドマーク
Ｍ    メール
【図１】
2005025280.tif 000003
【図２】
2005025280.tif 000004
【図３】
2005025280.tif 000005
【図４】
2005025280.tif 000006
【図５】
2005025280.tif 000007
【図６】
2005025280.tif 000008
【図７】
2005025280.tif 000009
【図８】
2005025280.tif 000010
【図９】
2005025280.tif 000011
【図１０】
2005025280.tif 000012
【図１１】
2005025280.tif 000013